(57)【特許請求の範囲】
【請求項１】
無線通信システムにおける移動局（ＭＳ）においてスリープモードを動作する方法であって、
前記方法は、
スリープサイクルのリスニングウィンドウを介して、基地局（ＢＳ）から、特定のＰＤＵ（Ｐｒｏｔｏｃｏｌ  Ｄａｔａ  Ｕｎｉｔ）が前記リスニングウィンドウ中のダウンリンク（ＤＬ）バッファ内の最後のＰＤＵであることを示す指示子を受信することと、
前記指示子に従って前記リスニングウィンドウの満了の前に前記リスニングウィンドウを終了することと、
前記リスニングウィンドウが終了したときにスリープウィンドウに進入することと
を含み、
前記スリープサイクルは、前記基地局から伝送されたトラフィック指示メッセージに基づいて、初期スリープサイクルか、以前のスリープサイクルの２倍かにリセットされる、方法。
【請求項２】
前記指示子は、ヘッダー形態で受信される、請求項１に記載の方法。
【請求項３】
前記指示子は、最後のＰＤＵ指示子またはリスニングウィンドウ終了フラグである、請求項１に記載の方法。
【請求項４】
前記ヘッダー形態のタイプは、ＳＣＥＨ（Ｓｌｅｅｐ  Ｃｏｎｔｒｏｌ  Ｅｘｔｅｎｄｅｄ  Ｈｅａｄｅｒ）またはＳＣＨ（Ｓｌｅｅｐ  Ｃｏｎｔｒｏｌ  Ｈｅａｄｅｒ）である、請求項２に記載の方法。
【請求項５】
前記移動局は、前記リスニングウィンドウを含む前記スリープサイクルの最後までスリープモードを維持する、請求項１に記載の方法。
【請求項６】
無線通信システムにおいてスリープモードを動作する移動局（ＭＳ）であって、
前記移動局は、
スリープサイクルのリスニングウィンドウを介して、基地局（ＢＳ）から、特定のＰＤＵ（Ｐｒｏｔｏｃｏｌ  Ｄａｔａ  Ｕｎｉｔ）が前記リスニングウィンドウ中のダウンリンク（ＤＬ）バッファ内の最後のＰＤＵであることを示す指示子のための受信ユニットと、
プロセッサと
を備え、
前記プロセッサは、
前記指示子に従って前記リスニングウィンドウの満了の前に前記リスニングウィンドウを終了することと、前記リスニングウィンドウが終了したときにスリープウィンドウに進入することとを実行するように構成され、
前記スリープサイクルは、前記基地局から伝送されたトラフィック指示メッセージに基づいて、初期スリープサイクルか、以前のスリープサイクルの２倍かにリセットされる、移動局。
【請求項７】
前記指示子は、ヘッダー形態で受信される、請求項６に記載の移動局。
【請求項８】
前記指示子は、最後のＰＤＵ指示子またはリスニングウィンドウ終了フラグである、請求項７に記載の移動局。
【請求項９】
前記ヘッダー形態のタイプは、ＳＣＥＨ（Ｓｌｅｅｐ  Ｃｏｎｔｒｏｌ  Ｅｘｔｅｎｄｅｄ  Ｈｅａｄｅｒ）またはＳＣＨ（Ｓｌｅｅｐ  Ｃｏｎｔｒｏｌ  Ｈｅａｄｅｒ）である、請求項８に記載の移動局。
【請求項１０】
前記移動局は、前記リスニングウィンドウを含む前記スリープサイクルの最後までスリープモードを維持する、請求項６に記載の移動局。
【発明の詳細な説明】
【技術分野】
【０００１】
本発明は、無線通信システムに関するもので、より詳細には、無線通信システムでのスリープモード動作方法に関するものである。
【背景技術】
【０００２】
移動性のために電源をバッテリーに依存する端末においては、電力消耗を減少させることが非常に重要である。したがって、電力消耗を減少させるための様々な方法が提示されており、それら方法のうち一つはスリープモード（ｓｌｅｅｐ  ｍｏｄｅ）に関するものである。
【０００３】
スリープモードとは、端末と基地局との間で送受信するトラフィックがこれ以上ない端末機の動作を停止させることによって電力消耗を減少させる状態をいう。
【０００４】
端末は、正常モード又はアクティブモードで基地局との通信を行いながら、これ以上基地局との間で送受信するトラフィックがない場合、スリープモードに進入するためにスリープ要請（Ｓｌｅｅｐ  ｒｅｑｕｅｓｔ、以下、「ＭＯＢ＿ＳＬＰ―ＲＥＱ」という。）メッセージを基地局に伝送する。ＭＯＢ＿ＳＬＰ―ＲＥＱメッセージを受けた基地局は、初期スリープサイクル、リスニングウィンドウ（ｌｉｓｔｅｎｉｎｇ  ｗｉｎｄｏｗ）などの端末のスリープモードと関連した各パラメーターを含むスリープ応答（ｓｌｅｅｐ  ｒｅｓｐｏｎｓｅ、以下、「ＭＯＢ＿ＳＬＰ―ＲＳＰ」という。）メッセージを端末に伝送する。
【０００５】
ＭＯＢ＿ＳＬＰ―ＲＳＰメッセージを受信した端末は、スリープモードと関連した各パラメーターを用いてスリープモードに進入する。
【０００６】
スリープモードの間、端末はスリープ区間とリスニング区間を交互に繰り返す。リスニング区間の間には、端末と基地局との間でのデータ送受信が可能であり、スリープ区間の間には、端末と基地局との間でのデータ送受信が不可能であるので、スリープ区間の間に基地局に到着するデータはバッファリングされる。
【０００７】
従来技術によると、端末は、ＭＯＢ＿ＳＬＰ―ＲＥＱメッセージに含まれたリスニングウィンドウの間、リスニング状態に留まる。したがって、基地局が端末に伝送するデータがない場合にも、端末は、ＭＯＢ＿ＳＬＰ―ＲＥＱメッセージに含まれたリスニングウィンドウの間に継続してリスニング状態を維持することによって、端末の電力浪費をもたらすという問題がある。
【発明の概要】
【発明が解決しようとする課題】
【０００８】
上述したように、従来技術によると、基地局が端末に伝送するデータがない場合にも端末が継続してリスニング状態を維持することによって、端末の電力浪費をもたらすという問題がある。
【０００９】
本発明の目的は、端末の電力消耗を減少できるスリープモード動作方法を提供することにある。
【００１０】
本発明の他の目的は、電力消耗を減少できるスリープモード動作を行う端末装置を提供することにある。
【００１１】
本発明で達成しようとする各技術的課題は、上述した各技術的課題に制限されるものでなく、言及していない他の技術的課題は、下記の記載から本発明の属する技術分野で通常の知識を有する者に明確に理解されるだろう。
【課題を解決するための手段】
【００１２】
前記課題を達成するために、本発明の一様相に係る無線通信システムでのスリープモード動作方法において、端末は、リスニングウィンドウを終了することを指示する指示子を含むＰＤＵ（ｐｒｏｔｏｃｏｌ  ｄａｔａ  ｕｎｉｔ）を基地局から受信し、前記の受信した指示子の指示に従ってリスニングウィンドウを終了することができる。このとき、前記指示子は、スリープ制御拡張ヘッダー（ＳＣＥＨ：Ｓｌｅｅｐ  Ｃｏｎｔｒｏｌ  Ｅｘｔｅｎｄｅｄ  Ｈｅａｄｅｒ）又はスリープ制御ヘッダー（ＳＣＨ：Ｓｌｅｅｐ  Ｃｏｎｔｒｏｌ  Ｈｅａｄｅｒ）に含まれて伝送され得る。前記指示子は、前記ＰＤＵが、基地局が伝送する最後のＰＤＵ指示子であることを示す最後のＰＤＵ指示子又はリスニングウィンドウ終了フラグ（Ｌｉｓｔｅｎｉｎｇ  ｗｉｎｄｏｗ  ｔｅｒｍｉｎａｔｉｏｎ  ｆｌａｇ）であってもよく、前記最後のＰＤＵ指示子はＡ―ＭＡＰに含まれて伝送され得る。
【００１３】
また、端末が前記基地局からリスニングウィンドウ終了遅延タイマーを受信することをさらに含むことができ、前記リスニングウィンドウを終了することは、前記最後のＰＤＵ指示子又はリスニングウィンドウ終了フラグを受信した後、前記リスニングウィンドウ終了遅延タイマーの間待機し、待機する間にダウンリンクＰＤＵを受けられないと、リスニングウィンドウを終了することができる。
【００１４】
また、前記リスニングウィンドウの間に端末と基地局との間でのトラフィック送受信を終了できなかった場合、リスニングウィンドウを延長し、前記の延長されたリスニングウィンドウの間に前記リスニングウィンドウ終了フラグを受信し、前記リスニングウィンドウ終了フラグによってリスニングウィンドウの延長を中止することをさらに含むことができる。
【００１５】
前記課題を達成するために、本発明の一様相に係る無線通信システムでのスリープモード動作方法を行う端末装置は、リスニングウィンドウを終了することを指示する指示子を含むＰＤＵ（ｐｒｏｔｏｃｏｌ  ｄａｔａ  ｕｎｉｔ）を基地局から受信する受信ユニットと、前記の受信した指示子の指示に従ってリスニングウィンドウを終了するリスニングウィンドウ終了ユニットとを含むことができる。前記指示子は、スリープ制御拡張ヘッダー（ＳＣＥＨ：Ｓｌｅｅｐ  Ｃｏｎｔｒｏｌ  Ｅｘｔｅｎｄｅｄ  Ｈｅａｄｅｒ）又はスリープ制御ヘッダー（ＳＣＨ：Ｓｌｅｅｐ  Ｃｏｎｔｒｏｌ  Ｈｅａｄｅｒ）に含まれて伝送され得る。また、前記指示子は、前記ＰＤＵが、基地局が伝送する最後のＰＤＵ指示子であることを示す最後のＰＤＵ指示子又はリスニングウィンドウ終了フラグであってもよい。前記最後のＰＤＵ指示子はＡ―ＭＡＰに含まれて伝送され得る。
【００１６】
前記端末装置は、前記基地局からリスニングウィンドウ終了遅延タイマーを受信する受信ユニットをさらに含むことができ、前記リスニングウィンドウ終了ユニットは、前記最後のＰＤＵ指示子又はリスニングウィンドウ終了フラグを受信した後、前記リスニングウィンドウ終了遅延タイマーの間待機し、待機する間にダウンリンクＰＤＵを受けられないと、リスニングウィンドウを終了することができる。
【００１７】
また、前記リスニングウィンドウの間、前記端末装置と基地局との間でのトラフィック送受信を終了できなかった場合、リスニングウィンドウを延長するリスニングウィンドウ延長ユニットと、前記の延長されたリスニングウィンドウの間、前記リスニングウィンドウ終了フラグを受信するリスニングウィンドウ終了フラグ受信ユニットと、前記リスニングウィンドウ終了フラグによってリスニングウィンドウの延長を中止するリスニングウィンドウ延長中止ユニットとをさらに含むことができる。
（項目１）
無線通信システムでの端末のスリープモード動作方法において、前記端末が、リスニングウィンドウを終了することを指示する指示子を含むＰＤＵ（ｐｒｏｔｏｃｏｌ  ｄａｔａ  ｕｎｉｔ）を基地局から受信すること；及び
前記の受信した指示子の指示に従ってリスニングウィンドウを終了することを含むことを特徴とするスリープモード動作方法。
（項目２）
前記指示子は、スリープ制御拡張ヘッダー（ＳＣＥＨ：Ｓｌｅｅｐ  Ｃｏｎｔｒｏｌ  Ｅｘｔｅｎｄｅｄ  Ｈｅａｄｅｒ）又はスリープ制御ヘッダー（ＳＣＨ：Ｓｌｅｅｐ  Ｃｏｎｔｒｏｌ  Ｈｅａｄｅｒ）に含まれて伝送されることを特徴とする、項目１に記載のスリープモード動作方法。
（項目３）
前記指示子は、前記ＰＤＵが、基地局が伝送する最後のＰＤＵ指示子であることを示す最後のＰＤＵ指示子又はリスニングウィンドウ終了フラグであることを特徴とする、項目１に記載のスリープモード動作方法。
（項目４）
前記最後のＰＤＵ指示子はＡ―ＭＡＰに含まれて伝送されることを特徴とする、項目３に記載のスリープモード動作方法。
（項目５）
前記基地局からリスニングウィンドウ終了遅延タイマーを受信することをさらに含み、
前記リスニングウィンドウを終了することは、前記最後のＰＤＵ指示子又はリスニングウィンドウ終了フラグを受信した後、前記リスニングウィンドウ終了遅延タイマーの間待機し、待機する間にダウンリンクＰＤＵを受けられないと、リスニングウィンドウを終了することを特徴とする、項目１に記載のスリープモード動作方法。
（項目６）
前記リスニングウィンドウの間に基地局との間でのトラフィック送受信を終了できなかった場合、リスニングウィンドウを延長すること；
前記の延長されたリスニングウィンドウの間に前記リスニングウィンドウ終了フラグを受信すること；及び
前記リスニングウィンドウ終了フラグによってリスニングウィンドウの延長を中止することを含む、項目５に記載のスリープモード動作方法。
（項目７）
無線通信システムでスリープモード動作を行う端末装置において、
リスニングウィンドウを終了することを指示する指示子を含むＰＤＵ（ｐｒｏｔｏｃｏｌ  ｄａｔａ  ｕｎｉｔ）を基地局から受信する受信ユニットと；
前記の受信した指示子の指示に従ってリスニングウィンドウを終了するリスニングウィンドウ終了ユニットと；を含むことを特徴とする端末装置。
（項目８）
前記指示子は、スリープ制御拡張ヘッダー（ＳＣＥＨ：Ｓｌｅｅｐ  Ｃｏｎｔｒｏｌ  Ｅｘｔｅｎｄｅｄ  Ｈｅａｄｅｒ）又はスリープ制御ヘッダー（ＳＣＨ：Ｓｌｅｅｐ  Ｃｏｎｔｒｏｌ  Ｈｅａｄｅｒ）に含まれて伝送されることを特徴とする、項目７に記載の端末装置。
（項目９）
前記指示子は、前記ＰＤＵが、基地局が伝送する最後のＰＤＵ指示子であることを示す最後のＰＤＵ指示子又はリスニングウィンドウ終了フラグであることを特徴とする、項目８に記載の端末装置。
（項目１０）
前記最後のＰＤＵ指示子はＡ―ＭＡＰに含まれて伝送されることを特徴とする、項目９に記載の端末装置。
（項目１１）
前記基地局からリスニングウィンドウ終了遅延タイマーを受信する受信ユニットをさらに含み、
前記リスニングウィンドウ終了ユニットは、前記最後のＰＤＵ指示子又はリスニングウィンドウ終了フラグを受信した後、前記リスニングウィンドウ終了遅延タイマーの間待機し、待機する間にダウンリンクＰＤＵを受けられないと、リスニングウィンドウを終了することを特徴とする、項目７に記載の端末装置。
（項目１２）
前記リスニングウィンドウの間に基地局との間でのトラフィック送受信を終了できなかった場合、リスニングウィンドウを延長するリスニングウィンドウ延長ユニットと；
前記の延長されたリスニングウィンドウの間に前記リスニングウィンドウ終了フラグを受信するリスニングウィンドウ終了フラグ受信ユニットと；
前記リスニングウィンドウ終了フラグによってリスニングウィンドウの延長を中止するリスニングウィンドウ延長中止ユニットと；をさらに含むことを特徴とする、項目１１に記載の端末装置。
【発明の効果】
【００１８】
本発明の各実施例によると、基地局は、端末に伝送するトラフィックがこれ以上ない場合、最後のＰＤＵ指示子又はリスニングウィンドウ終了フラグを伝送し、端末がリスニングウィンドウを終了することによって、端末の電力消耗を減少させることができる。
【００１９】
本発明で得られる効果は、以上言及した各効果に制限されるものでなく、言及していない他の効果は、下記の記載から本発明の属する技術分野で通常の知識を有する者に明確に理解されるだろう。
【図面の簡単な説明】
【００２０】
【図１】本発明の実施例に係るスリープモード動作方法を示した図である。
【図２】本発明の実施例によって最後のＰＤＵ指示子を含むＡ―ＭＡＰを示した図である。
【図３】端末がスリープモードで動作する方法を示した図である。
【図４】本発明の好適な一実施例に係る端末装置の構成を示した図である。
【発明を実施するための形態】
【００２１】
以下、添付の図面を参考にして、本発明の実施例について本発明の属する技術分野で通常の知識を有する者が容易に実施できるように詳細に説明する。しかし、本発明は、多様な異なる形態に具現することができ、ここで説明する実施例に限定されない。そして、図面において、本発明を明確に説明するために説明と関係のない部分は省略し、明細書全体にわたって類似する部分については、類似する図面符号を付した。
【００２２】
明細書全体において、いずれかの部分がいずれかの構成要素を「含む」とするとき、これは、特別に反対の記載がない限り、他の構成要素を除外するのではなく、他の構成要素をさらに含むことができることを意味する。また、明細書に記載された「…部」、「…機」、「モジュール」などの用語は、少なくとも一つの機能や動作を処理する単位を意味し、これは、ハードウェアやソフトウェア、又はハードウェアとソフトウェアの結合で具現することができる。
【００２３】
以下、本発明の実施例に係るスリープモード動作方法について図１〜図３を参照して詳細に説明する。
【００２４】
本発明の実施例に係るスリープモード動作方法によると、基地局は、リスニングウィンドウにある端末に伝送するデータがこれ以上ないと、端末に最後のＰＤＵ指示子又はリスニングウィンドウ終了フラグを伝送し、最後のＰＤＵ指示子又はリスニングウィンドウ終了フラグを受信した端末は、リスニングウィンドウを終了してスリープウィンドウに進入する。
【００２５】
正常モードの端末は、基地局との間で送受信するトラフィックがこれ以上ないと、スリープモードに進入するためにスリープ要請（Ｓｌｅｅｐ  ｒｅｑｕｅｓｔ、以下、「ＭＯＢ＿ＳＬＰ―ＲＥＱ」という。）メッセージを基地局に伝送する。ＭＯＢ＿ＳＬＰ―ＲＥＱメッセージを受けた基地局は、ＭＯＢ＿ＳＬＰ―ＲＥＱメッセージに対する応答としてスリープ応答（ｓｌｅｅｐ  ｒｅｓｐｏｎｓｅ、以下、「ＭＯＢ＿ＳＬＰ―ＲＳＰ」という。）メッセージを端末に伝送する。ＭＯＢ＿ＳＬＰ―ＲＳＰメッセージは、初期スリープサイクル、最後のスリープサイクル及びリスニングウィンドウなどの端末のスリープモードと関連した各パラメーターを含む。
【００２６】
スリープモードの間、端末は、基地局との間でのデータ送受信が不可能なスリープ区間と基地局との間でのデータ送受信が可能なリスニング区間を交互に繰り返す。端末は、スリープモードに進入すると、最初に初期スリープサイクルの間スリープ状態を維持しながら、初期スリープサイクルを経た後は、１番のスリープ区間と１番のリスニング区間で構成されたスリープサイクルを繰り返す。端末は、基地局が端末に伝送するトラフィックがあるかどうかによってスリープサイクルの長さを変化させる。このとき、スリープサイクルの長さは、基地局から受信した最後のスリープサイクルを超えられない。そして、リスニング区間の長さはＭＯＢ＿ＳＬＰ―ＲＳＰメッセージのリスニングウィンドウによって決定され、スリープ区間の長さはスリープサイクルからリスニングウィンドウを引き算した値である。
【００２７】
ＭＯＢ＿ＳＬＰ―ＲＳＰメッセージを受信した端末はスリープモードに遷移する。
【００２８】
また、端末がスリープ要請メッセージを伝送しなくても、基地局が非要求（ｕｎｓｏｌｉｃｉｔｅｄ）ＭＯＢ＿ＳＬＰ―ＲＳＰを端末に伝送し、端末をスリープモードに進入させることもできる。
【００２９】
図１は、本発明の実施例に係るスリープモード動作方法を示した図である。
【００３０】
図１は、二つのフレームを含むスリープサイクルを示す。図１に示すように、一つのフレームは、５個のダウンリンクサブフレーム及び３個のアップリンクサブフレームを含み、スリープサイクルはリスニングウィンドウ及びスリープウィンドウを含む。
【００３１】
図１に示すように、端末がリスニングウィンドウにある間、端末に伝送するダウンリンクトラフィックが基地局に到着すると、基地局は、ダウンリンクＰＤＵ（ｐｒｏｔｏｃｏｌ  ｄａｔａ  ｕｎｉｔ）を次のサブフレームに載せて端末に伝送する。しかし、基地局のバッファーに端末に伝送するＰＤＵがこれ以上なく、現在伝送するＰＤＵが最後のＰＤＵである場合、基地局は、端末に最後のＰＤＵ指示子又はリスニングウィンドウ終了フラグを伝送する。
【００３２】
まず、基地局が端末に最後のＰＤＵ指示子を伝送することについて説明する。
【００３３】
基地局は、伝送する拡張サブヘッダー（又は「拡張ヘッダー」とも称する。）形態で最後のＰＤＵ指示子をＰＤＵに含ませて伝送することができる。最後のＰＤＵ指示子拡張サブヘッダーは二つのフォーマットを有することができ、表１は、第１の最後のＰＤＵ指示子拡張サブヘッダーフォーマットを示し、表２は、第２の最後のＰＤＵ指示子拡張サブヘッダーフォーマットを示す。
【００３４】
【表１】
0005425228.tif 000002
表１に示すように、第１の最後のＰＤＵ指示子拡張サブヘッダーフォーマットによると、伝送するＰＤＵが最後のＰＤＵでない場合は、最後のＰＤＵ指示子を０に設定して端末に伝送し、伝送するＰＤＵが最後のＰＤＵである場合は、最後のＰＤＵ指示子を１に設定して端末に伝送する。
【００３５】
そうすると、最後のＰＤＵ指示子を受信した端末は、最後のＰＤＵ指示子が０に設定されていると、基地局が継続して端末にＰＤＵを伝送することを認知し、残っているリスニングウィンドウの間ダウンリンクチャンネルをモニタリングし、最後のＰＤＵ指示子が１に設定されていると、受信したＰＤＵが伝送した最後のＰＤＵであることを認知し、残っているリスニングウィンドウを終了し、パワー消耗を減少させることができる。
【００３６】
【表２】
0005425228.tif 000003
表２に示すように、第２の最後のＰＤＵ指示子拡張サブヘッダーフォーマットによると、基地局は、伝送するＰＤＵが最後のＰＤＵである場合は、最後のＰＤＵ指示子をＰＤＵに含ませて端末に伝送し、伝送するＰＤＵが最後のＰＤＵでない場合は、最後のＰＤＵ指示子を端末に伝送しない。第２の最後のＰＤＵ指示子拡張サブヘッダーフォーマットによると、最後のＰＤＵのみに最後のＰＤＵ指示子を挿入するので、第１の最後のＰＤＵ指示子拡張サブヘッダーフォーマットに比べてオーバーヘッドを減少させることができる。
【００３７】
表１及び表２では、基地局が最後のＰＤＵ指示子を、新しく定義された最後のＰＤＵ指示子拡張サブヘッダーを通して伝送することについて説明しているが、基地局は、既存に定義されている拡張サブヘッダーを通しても最後のＰＤＵ指示子を伝送することができる。例えば、ダウンリンクスリープ制御拡張サブヘッダー（ＤＬ  ｓｌｅｅｐ  ｃｏｎｔｒｏｌ  ｅｘｔｅｎｄｅｄ  ｓｕｂｈｅａｄｅｒ）に最後のＰＤＵ指示子を含ませて伝送することもできる。
【００３８】
基地局は、最後のＰＤＵ指示子を、ダウンリンクＰＤＵを受信するために端末が予め確認するＡ―ＭＡＰ（ａｄｖａｎｃｅｄ  ＭＡＰ）に含ませて伝送することもできる。
【００３９】
図２は、本発明の実施例によって最後のＰＤＵ指示子を含むＡ―ＭＡＰを示した図である。図２に示すように、基地局は、端末に伝送するデータの位置を知らせるためにＡ―ＭＡＰを伝送するが、Ａ―ＭＡＰは、割り当て（ａｓｓｉｇｎｍｅｎｔ）Ａ―ＭＡＰを含み、最後のＰＤＵ指示子は、割り当てＡ―ＭＡＰに含まれて伝送され得る。
【００４０】
本発明の実施例に係る割り当てＡ―ＭＡＰは、二つのフォーマットを有することができる。
【００４１】
図２に示すように、第１の割り当てＡ―ＭＡＰフォーマットによると、Ａ―ＭＡＰが指示する位置で伝送されるＰＤＵが最後のＰＤＵでない場合は、最後のＰＤＵ指示子は０に設定され、Ａ―ＭＡＰが指示する位置で伝送されるＰＤＵが最後のＰＤＵである場合は、最後のＰＤＵ指示子は１に設定される。
【００４２】
そして、第２の割り当てＡ―ＭＡＰフォーマットによると、Ａ―ＭＡＰが指示する位置で伝送されるＰＤＵが最後のＰＤＵである場合は、割り当てＡ―ＭＡＰに最後のＰＤＵ指示子が含まれ、Ａ―ＭＡＰが指示する位置で伝送されるＰＤＵが最後のＰＤＵでない場合は、割り当てＡ―ＭＡＰに最後のＰＤＵ指示子が含まれない。
【００４３】
そして、基地局は、最後のＰＤＵ指示子と共にリスニングウィンドウ終了遅延タイマー（Ｔ＿ＡＭＳ  Ｔｉｍｅｒ）を端末に伝送することができる。基地局が端末に最後のＰＤＵ指示子のみを伝送すると、端末は、最後のＰＤＵ指示子を受けた後、直ぐにリスニングウィンドウを終了する。ところが、基地局が最後のＰＤＵを伝送する時点には、バッファーが端末に伝送するＰＤＵがないとしても、その後、端末のリスニングウィンドウの終了前に端末に伝送するＰＤＵが発生し得る。したがって、基地局が端末に最後のＰＤＵ指示子と共にリスニングウィンドウ終了遅延タイマーを伝送すると、端末は、最後のＰＤＵ指示子を受けた後、リスニングウィンドウ終了遅延タイマーの間待機し、その間にＰＤＵを受けられないと、リスニングウィンドウを終了することができる。
【００４４】
次に、基地局が端末にリスニングウィンドウ終了フラグを伝送することについて説明する。
【００４５】
基地局は、リスニングウィンドウ終了フラグをＰＤＵに含ませて伝送することができる。このとき、ＰＤＵのダウンリンクスリープ制御拡張サブヘッダー（ＤＬ  ｓｌｅｅｐ  ｃｏｎｔｒｏｌ  ｅｘｔｅｎｄｅｄ  ｓｕｂｈｅａｄｅｒ）にリスニングウィンドウ終了フラグを追加して端末に伝送することができる。
【００４６】
表３〜表５は、リスニングウィンドウ終了フラグを含むダウンリンクスリープ制御拡張サブヘッダーのフォーマットを示す。
【００４７】
【表３】
0005425228.tif 000004
表３に示したダウンリンクスリープ制御拡張サブヘッダーのフォーマットによると、基地局は、端末にリスニングウィンドウを終了することを指示するために、リスニングウィンドウ終了フラグをダウンリンクスリープ制御拡張サブヘッダーに含ませて伝送し、端末は、リスニングウィンドウ終了フラグを含むダウンリンクスリープ制御拡張サブヘッダーを受信すると、リスニングウィンドウを終了してスリープウィンドウに進入する。
【００４８】
【表４】
0005425228.tif 000005
表４に示したダウンリンクスリープ制御拡張サブヘッダーのフォーマットによると、基地局は、リスニングウィンドウ終了フラグをダウンリンクスリープ制御拡張サブヘッダーに含ませて伝送し、端末にリスニングウィンドウを終了することを指示しようとする場合は、リスニングウィンドウ終了フラグを１に設定して伝送し、そうでない場合はリスニングウィンドウ終了フラグを０に設定して伝送する。
【００４９】
【表５】
0005425228.tif 000006
表５に示すように、スリープ制御拡張サブヘッダーは、リスニングウィンドウ終了遅延タイマーも含むことができる。
【００５０】
表５に示したダウンリンクスリープ制御拡張サブヘッダーのフォーマットによると、基地局は、端末に最後のＰＤＵを伝送するとき、最後のＰＤＵに含まれたダウンリンクスリープ制御拡張サブヘッダーのリスニングウィンドウ終了フラグを１に設定し、ダウンリンクスリープ制御拡張サブヘッダーにリスニングウィンドウ終了遅延タイマーを追加して端末に伝送する。
【００５１】
そうすると、端末は、リスニングウィンドウ終了遅延タイマーを確認してリスニングウィンドウ終了遅延タイマーの間待機し、これ以上ダウンリンクＰＤＵを受けられない場合、リスニングウィンドウを終了してスリープウィンドウに進入する。そして、基地局は、リスニングウィンドウ終了遅延タイマーが満了した後は、端末がスリープウィンドウに進入したと判断し、これ以上ダウンリンクＰＤＵを端末に伝送しない。
【００５２】
表３〜表５では、基地局がリスニングウィンドウ終了フラグをダウンリンクスリープ制御拡張サブヘッダー通して伝送することについて説明しているが、基地局は、新しい拡張サブヘッダーを定義し、新しく定義された拡張サブヘッダーを通してもリスニングウィンドウ終了フラグを端末に伝送することができる。
【００５３】
上述したように、端末は、基地局から最後のＰＤＵ指示子又はリスニングウィンドウ終了フラグを受信すると、リスニングモードを終了することによってパワー消耗を減少させることができる。
【００５４】
以下、本発明の実施例によって端末がスリープモードで動作する方法について図３を参照して詳細に説明する。
【００５５】
図３は、端末がスリープモードで動作する方法を示した図である。図３に示すように、端末が正常モードからスリープモードに遷移した後、１番目のスリープサイクルはスリープウィンドウのみを含む。そして、２番目のスリープサイクルからは、スリープウィンドウ及びリスニングウィンドウを含む。１番目のスリープサイクルの長さは、ＭＯＢ＿ＳＬＰ―ＲＳＰメッセージに含まれた初期スリープサイクルである。
【００５６】
リスニングウィンドウの間、端末は、基地局から基地局が端末に伝送するトラフィックがあるかどうかを知らせるトラフィック指示（ｔｒａｆｆｉｃ  ｉｎｄｉｃａｔｉｏｎ、ＴＲＦ―ＩＮＤ）メッセージを受信する。トラフィック指示メッセージが否定的指示子を含むと、基地局が端末に伝送するトラフィックがないことを意味し、トラフィック指示メッセージが肯定的指示子を含むと、基地局が端末に伝送するトラフィックがあることを意味する。
【００５７】
図３で、端末は、２番目のスリープサイクルのリスニングウィンドウの間に否定的指示子を含むトラフィック指示メッセージを受信すると、ダウンリンクで伝送されるトラフィックがないと判断し、スリープサイクルを以前のスリープサイクルの２倍に増加させる。
【００５８】
端末は、否定的指示子を含むトラフィック指示メッセージを受信すると、数学式１によってスリープサイクルを増加させる。
（数１）
Ｃｕｒｒｅｎｔ  ｓｌｅｅｐ  ｃｙｃｌｅ  ＝  ｍｉｎ（２  ＊  ｐｒｅｖｉｏｕｓ  ｓｌｅｅｐ  ｃｙｃｌｅ、ｆｉｎａｌ  ｓｌｅｅｐ  ｃｙｃｌｅ）
数学式１に示すように、端末は、現在のスリープサイクルを以前のスリープサイクルの２倍及びＭＯＢ＿ＳＬＰ―ＲＳＰメッセージに含まれた最後のスリープサイクルのうち小さい値に設定する。すなわち、端末は、最後のスリープサイクルより大きくスリープサイクルを設定することはできない。これは、スリープサイクルが継続的に増加することを防止するためである。
【００５９】
そして、３番目のスリープサイクルのリスニングウィンドウの間、端末が肯定的指示子を含むトラフィック指示メッセージを受信すると、スリープサイクルを初期スリープサイクルにリセットする。
【００６０】
そして、ＭＯＢ＿ＳＬＰ―ＲＳＰメッセージに含まれたリスニングウィンドウの間、端末は、基地局との間でトラフィックを送受信し、基地局から最後のＰＤＵ指示子又はリスニングウィンドウ終了フラグを受信すると、リスニングウィンドウを終了する。
【００６１】
そして、ＭＯＢ＿ＳＬＰ―ＲＳＰメッセージに含まれたリスニングウィンドウの間、基地局との間でのトラフィック送受信を終了できなかった場合、端末は、リスニングウィンドウを延長し、基地局との間でのトラフィック送受信を継続する。延長されたリスニングウィンドウの間、端末は、基地局との間でトラフィックを送受信し、基地局から最後のＰＤＵ指示子又はリスニングウィンドウ終了フラグを受信すると、リスニングウィンドウの延長を中止してスリープウィンドウに進入する。
【００６２】
以下では、本発明に係る多様な実施例を行う端末装置の好適な実施例の構成について簡略に説明する。
【００６３】
図４は、本発明に係る端末装置の好適な実施例の構成を示した図である。
【００６４】
図４を参照すると、端末装置は、受信ユニット４１０、リスニングウィンドウ終了ユニット４２０、リスニングウィンドウ延長ユニット４３０、リスニングウィンドウ延長中止ユニット４４０、伝送ユニット４５０及びメモリ４６０を含むことができる。
【００６５】
受信ユニット４１０は、リスニングウィンドウを終了することを指示する指示子を含むＰＤＵ（ｐｒｏｔｏｃｏｌ  ｄａｔａ  ｕｎｉｔ）を基地局から受信することができる。また、受信ユニット４１０は、前記基地局からリスニングウィンドウ終了遅延タイマーを受信することができ、延長されたリスニングウィンドウの間、前記リスニングウィンドウ終了フラグを受信することができる。
【００６６】
リスニングウィンドウ終了ユニット４２０は、受信ユニット４１０が受信した指示子の指示に従ってリスニングウィンドウを終了することができる。このとき、前記指示子は、前記ＰＤＵが、基地局が伝送する最後のＰＤＵ指示子であることを示す最後のＰＤＵ指示子又はリスニングウィンドウ終了フラグであってもよい。最後のＰＤＵ指示子又はリスニングウィンドウ終了フラグは、スリープ制御拡張ヘッダー（ＳＣＥＨ：Ｓｌｅｅｐ  Ｃｏｎｔｒｏｌ  Ｅｘｔｅｎｄｅｄ  Ｈｅａｄｅｒ）又はスリープ制御ヘッダー（ＳＣＨ：Ｓｌｅｅｐ  Ｃｏｎｔｒｏｌ  Ｈｅａｄｅｒ）に含まれて伝送され得る。
【００６７】
また、前記最後のＰＤＵ指示子はＡ―ＭＡＰに含まれて伝送され得る。リスニングウィンドウ終了ユニット４２０は、前記最後のＰＤＵ指示子又はリスニングウィンドウ終了フラグを受信した後、前記リスニングウィンドウ終了遅延タイマーの間待機し、待機する間にダウンリンクＰＤＵを受けられないと、リスニングウィンドウを終了することができる。
【００６８】
リスニングウィンドウ延長ユニット４３０は、前記リスニングウィンドウの間、基地局との間でのトラフィック送受信を終了できなかった場合、リスニングウィンドウを延長することができる。リスニングウィンドウ延長中止ユニット４４０は、前記リスニングウィンドウ終了フラグによってリスニングウィンドウの延長を中止することができる。
【００６９】
伝送ユニット４５０は、各種信号、データ、情報などを基地局に伝送することができる。
【００７０】
メモリ４６０は、基地局などの外部から受信した情報、データなどや演算処理した情報などを所定時間の間格納することができ、バッファー（図示せず）などの構成に取り替えられる。
【００７１】
本発明に係る実施例は、多様な手段、例えば、ハードウェア、ファームウェア、ソフトウェア又はそれらの結合などによって具現することができる。ハードウェアによる具現の場合、本発明の一実施例に係る無線通信システムでのスリープモード動作方法は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【００７２】
ファームウェアやソフトウェアによる具現の場合、本発明の一実施例に係る無線通信システムでのスリープモード動作方法は、以上説明した機能又は動作を行うモジュール、手順又は関数などの形態に具現することができる。ソフトウェアコードは、メモリユニットに格納されてプロセッサによって駆動され得る。前記メモリユニットは、前記プロセッサの内部又は外部に位置し、既に公知となった多様な手段によって前記プロセッサとの間でデータを取り交わすことができる。
【００７３】
本発明がその技術的思想及び必須特徴を逸脱しない範囲で他の特定の形態に具体化され得ることは、当業者にとって自明である。したがって、前記詳細な説明は、全ての面で制限的に解釈してはならなく、例示的なものとして考慮しなければならない。本発明の範囲は、添付された請求項の合理的な解釈によって決定しなければならなく、本発明の等価的範囲内での全ての変更は本発明の範囲に含まれる。
【００７４】
また、特許請求の範囲で明示的な引用関係のない各請求項を結合して実施例を構成したり、出願後の補正によって新しい請求項を含ませることが可能であることは自明である。
【図１】
0005425228.tif 000007
【図２】
0005425228.tif 000008
【図３】
0005425228.tif 000009
【図４】
0005425228.tif 000010